(57)【特許請求の範囲】
【請求項１】
撓み変形可能なシート状部材からなり、鉢の上縁に載置可能な蓋であって、
基部と、
前記基部から延びる第１延出部と、
前記基部の、前記第１延出部とは異なる位置から延びる第２延出部と、を備え、
前記基部、前記第１延出部および前記第２延出部は、前記上縁の一部にそれぞれ載置可能であり、
前記基部、前記第１延出部および前記第２延出部のうち少なくとも前記第１延出部と前記第２延出部の間には、前記鉢内の物を擂り潰すための棒部材が貫通する開口が形成されていることを特徴とする蓋。
【請求項２】
前記第２延出部の一部は、前記開口に対して前記基部とは反対側で前記第１延出部と重なっていることを特徴とする請求項１に記載の蓋。
【請求項３】
前記シート状部材は、透明であることを特徴とする請求項１または請求項２に記載の蓋。
【請求項４】
前記基部、前記第１延出部および前記第２延出部の縁のうち前記開口を形成する内縁から、前記内縁以外の外縁までの長さのうち、最も小さいものは、前記鉢の底面の端から上縁までの長さより大きいことを特徴とする請求項１から請求項３のいずれか１項に記載の蓋。
【発明の詳細な説明】
【技術分野】
【０００１】  本発明は、鉢の上縁に載置可能な蓋に関する。
【背景技術】
【０００２】  従来、すり鉢や乳鉢等の鉢内の物を擂り潰した際に、その粉砕物が鉢の外に飛び散るのを抑制するために、鉢の上面を覆う蓋が知られている（特許文献１参照）。この蓋には、鉢内の物を擂り潰すための棒部材が貫通する孔が形成されている。
【先行技術文献】
【特許文献】
【０００３】
【特許文献１】実開昭５３−２８７７９号公報
【発明の概要】
【発明が解決しようとする課題】
【０００４】  ところで、鉢内の物を棒部材で力を入れて擂り潰す際に、棒部材を握った手が鉢内に入り込む場合がある。この際、特許文献１の構成では、鉢の上面を覆う蓋が手を邪魔して鉢内の物を擂り潰しにくくなっていた。【０００５】  そこで、本発明は、鉢内の物を擂り潰しやすくしつつ、粉砕物が鉢の外に飛び散るのを抑制した蓋を提供することを目的とする。
【課題を解決するための手段】
【０００６】  前記した目的を達成するため、本発明の蓋は、撓み変形可能なシート状部材からなり、鉢の上縁に載置可能な蓋であって、基部と、前記基部から延びる第１延出部と、前記基部の、前記第１延出部とは異なる位置から延びる第２延出部と、を備える。
前記基部、前記第１延出部および前記第２延出部は、前記上縁の一部にそれぞれ載置可能であり、前記基部、前記第１延出部および前記第２延出部のうち少なくとも前記第１延出部と前記第２延出部の間には、前記鉢内の物を擂り潰すための棒部材が貫通する開口が形成されている。【０００７】  このような構成によれば、鉢の上縁に載置した蓋の開口に貫通された棒部材を掴んだ手により、蓋の、開口の周辺の内側部分を下方に押し付けると、第１延出部と第２延出部が重なり合うことで、蓋が、当該内側部分を先端とした略三角錐状に変形する。つまり、手を押し込むことで、蓋の内側部分が下方に下がるので、棒部材を握った手を蓋が邪魔するのが抑えられ、蓋がない場合と略同じ条件で鉢内の物を擂り潰すことができる。【０００８】  また、蓋に棒部材を通すための孔が形成された構成だと、棒部材を掴んだ手を蓋の開口の周辺の内側部分を下方に押し付けると、蓋の一部が、鉢の内側に向けて捲れ上がるようにして撓むので、その部分に隙間ができやすく、鉢が密閉されにくい。しかし、上記した構成によれば、第１延出部と第２延出部が重なり合うことで、蓋が捲れ上がらないので、鉢の上縁に蓋の外側部分を接触させることができ、粉砕物が鉢の外に飛び散るのを抑制することができる。【０００９】  前記した構成において、前記第２延出部の一部は、前記開口に対して前記基部とは反対側で前記第１延出部と重なっている構成とすることができる。【００１０】  このような構成によれば、蓋が変形する際に、第１延出部と第２延出部が衝突するのを抑制することができるので、蓋の変形がスムーズになる。【００１１】  前記した構成において、前記シート状部材は、透明である構成とすることができる。【００１２】  このような構成によれば、鉢内の物を擂り潰す際に、鉢内を視認することができる。【００１３】  前記した構成において、前記基部、前記第１延出部および前記第２延出部の縁のうち前記開口を形成する内縁から、前記内縁以外の外縁までの長さは、前記鉢の底面の端から上縁までの長さより大きいことが望ましい。【００１４】  このような構成によれば、蓋が変形した際に、蓋の外縁が鉢の上縁を塞ぎやすくなるので、鉢内で、粉砕された物が飛び散るのをより確実に抑制することができる。
【発明の効果】
【００１５】  本発明によれば、鉢内の物を擂り潰しやすくしつつ、粉砕物が鉢の外に飛び散るのを抑制することができる。
【図面の簡単な説明】
【００１６】
【図１】本発明の実施形態に係る蓋を示す図である。
【図２】鉢内に押し込まれた蓋を上から見た斜視図である。
【図３】鉢内に押し込まれた蓋の側断面図である。
【図４】第１変形例に係る蓋を示す図である。
【図５】第２変形例に係る蓋を示す図である。
【発明を実施するための形態】
【００１７】  次に、本発明の一実施形態について、適宜図面を参照しながら詳細に説明する。
図１に示すように、蓋１０は、すり鉢や乳鉢等の鉢１の上縁１Ａに載置可能なものであり、紙等の撓み変形可能な矩形状のシート状部材から構成されている。
【００１８】  蓋１０は、図示左右方向に延びる基部１１と、基部１１の図示上端の左側から図示上側に延びる第１延出部１２と、基部１１の図示上端の右側、つまり、第１延出部１２とは異なる位置から延びる第２延出部１３とを備えている。
【００１９】  第２延出部１３は、基部１１から図示上側に延び、第１延出部１２と所定の間隔をあけて配置された第１部分１３Ａと、第１部分１３Ａの図示上端部から第１延出部１２側に延びる第２部分１３Ｂとを備えている。
【００２０】  第２部分１３Ｂの先端部１３Ｃは、第１延出部１２と重なっている。言い換えると、第２延出部１３の一部は、後述する開口１４に対して基部１１とは反対側で第１延出部１２と重なっている。
【００２１】  このように第２延出部１３が形成されることで、基部１１、第１延出部１２および第２延出部１３の間には、矩形状の開口１４が形成されている。この開口１４は、鉢１内の物を擂り潰すための棒部材２が貫通する程度の大きさになっている。
【００２２】  また、基部１１、第１延出部１２および第２延出部１３は、蓋１０を鉢１の上縁１Ａに載せた際に、それぞれが上縁１Ａの一部に載置可能な大きさに構成されている。
【００２３】  より詳細に、基部１１、第１延出部１２および第２延出部１３は、それぞれが同じ幅になるように形成されており、基部１１、第１延出部１２および第２延出部１３の縁のうち、開口１４を形成する内縁１０Ａから、内縁１０Ａ以外の外縁１０Ｂまでの長さＡは、鉢１の底面の端１Ｂから上縁１Ａまでの長さＢ（図３参照）より大きくなっている。
【００２４】  以上のように構成された蓋１０の作用効果について説明する。
図２および図３に示すように、鉢１の上縁１Ａを覆うように載置された蓋１０の開口１４部分に、棒部材２の先端部を入れ、棒部材２を掴んだ手３によって、蓋１０の開口１４の周辺部分を下方に押し込む。
【００２５】  このとき、第２延出部１３の第２部分１３Ｂが、第１延出部１２上をスライド移動することで、第２延出部１３と第１延出部１２が重なり合う。これにより、蓋１０は、外側部分が上縁１Ａに接触したまま開口１４の周辺部分が下方に沈み込み、当該周辺部分を先端とした略三角錐状に変形する。つまり、手３を押し込むことで当該周辺部分が下方に下がるので、棒部材２を握った手３を蓋１０が邪魔するのが抑えられ、鉢１内の物を擂り潰しやすくなる。
【００２６】  ここで、第１延出部と第２延出部がつながっている構成、つまり、真ん中に孔が形成された構成だと、シート状部材を下方に押し込むことで、シート状部材が捲れ上がる部分が生じて、その部分から粉砕物が飛び散るおそれがある。
【００２７】  しかし、本実施形態では、第１延出部１２と第２延出部１３が重なり合うことで、蓋１０の外側部分が上縁１Ａに接触するので、シート状部材が捲れ上がることなく、蓋１０が鉢１を塞ぐ。そして、棒部材２および手３により蓋１０の開口１４の周辺部分が動かされて、鉢１内の物が擂り潰される。このとき、第１延出部１２と第２延出部１３が互いに重なり合ったまま、蓋１０の外側部分が捲れ上がることなく、上縁１Ａに接触した状態が維持されるので、鉢１内の粉砕物が鉢１の外側に飛び散るのを抑制することができる。
【００２８】  また、棒部材２を握った手３の位置に応じて、蓋１０の開口１４の周辺部分が下方に沈み込んだ際に、蓋１０の外側部分が上縁１Ａ付近と接触したまま下方にずれるので、鉢１の密閉性が維持されやすい。そのため、棒部材２を握る手３の位置の自由度を向上させることができる。
【００２９】  また、第１延出部１２と第２延出部１３の第２部分１３Ｂが重なっているので、蓋１０を押し込んだ際に、第２延出部１３と第１延出部１２がスムーズに移動する。そのため、第１延出部と第２延出部が重なっていない構成と比較して、第１延出部１２と第２延出部１３が衝突するのを抑制することができる。
【００３０】  また、開口１４を形成する内縁１０Ａから、外縁１０Ｂまでの長さＡが、鉢１の底面の端１Ｂから上縁１Ａまでの長さＢよりも大きいので、蓋１０の押し込み量がユーザによって異なっても、より確実に鉢１の上縁１Ａを塞ぐことができる。
【００３１】  また、蓋１０が撓み変形可能な紙等のシート状部材から構成されているので、鉢１の形状や棒部材２の動きに応じて蓋１０が変形しやすい。そのため、撓み変形しない構成と比較して、より鉢１の密閉性を向上させやすく、また、棒部材２を動かしやすい。
【００３２】  以上、本発明の実施形態について説明したが、本発明は前記実施形態に限定されるものではない。具体的な構成については、本発明の趣旨を逸脱しない範囲で適宜変更が可能である。
【００３３】  前記実施形態では、第１延出部１２と第２延出部１３が重なっていたが、本発明はこれに限定されず、重なっていなくてもよい。
【００３４】  図４に示すように、この構成における蓋２０は、前記実施形態と同様に、基部２１、第１延出部２２および第２延出部２３を備えている。第１延出部２２は、基部２１の図示左端部から延びる第１部分２２Ａと、第１部分２２Ａの先端部から図示右側に延びる第２部分２２Ｂとを有し、第２延出部２３は、基部２１の図示右端部から延びる第１部分２３Ａと、第１部分２３Ａの先端部から図示左側に延びる第２部分２３Ｂとを有している。基部２１、第１延出部２２および第２延出部２３の間には、略円状の開口２４が形成されている。
【００３５】  このような構成だと、蓋２０を製造する際、シート状部材に開口２４を形成した後に、開口２４を形成する内縁２０Ａからシート状部材の外側に向けて切り込みを入れればよいので、蓋２０の製造が容易になる。また、第１延出部２２の第２部分２２Ｂおよび第２延出部２３の第２部分２３Ｂのいずれかを鉢１の内側に向けて折り曲げて形成することで、第１延出部２２と第２延出部２３が衝突するのを抑制することができる。
【００３６】  前記実施形態では、シート状部材の一例として紙を例示したが、本発明はこれに限定されず、例えば、ポリエチレンテレフタレートや塩化ビニル等の材料からなる部材をシート状部材として採用してもよい。これによれば、シート状部材を紙などで形成した構成と比較して、蓋の剛性を高めることができる。
【００３７】  また、この場合、シート状部材を透明なものにするのが望ましい。これによれば、棒部材２で鉢１内の物を擂り潰す際に、鉢１内を視認することができる。
【００３８】  前記実施形態では、第２延出部１３が第１部分１３Ａおよび第２部分１３Ｂを有することで、第１延出部１２と重なっていたが、本発明はこれに限定されない。例えば、図５に示すように、蓋３０は、図示左右に延びる基部３１と、基部３１の図示左端から図示右斜め上に延びる第１延出部３２と、基部３１の図示右端から図示左斜め上に延びる第２延出部３３とを備えている。
【００３９】  第１延出部３２と第２延出部３３は、それぞれの先端部が重なっており、基部３１、第１延出部３２および第２延出部３３の間には、三角形状の開口３４が形成されている。
【００４０】  また、このような蓋３０は、左右方向に延びるシート状部材の、基部３１の左端３１Ａおよび右端３１Ｂに相当する部分を折り返すことで構成することができる。これによれば、容易に蓋３０を製造することができる。
【００４１】  また、上記した各シート状部材は、静電気抑制効果を高めた材料を含むように構成するとよい。これによれば、鉢１内の粉砕物が蓋に付着するのを抑制することができる。
【符号の説明】
【００４２】１０    蓋
１０Ａ  内縁
１０Ｂ  外縁
１１    基部
１２    第１延出部
１３    第２延出部
１４    開口
【要約】
【課題】鉢内の物を擂り潰しやすくしつつ、粉砕物が鉢の外に飛び散るのを抑制した蓋を提供することを目的とする。
【解決手段】蓋１０は、撓み変形可能なシート状部材からなり、基部１１と、基部１１から延びる第１延出部１２と、基部１１の、第１延出部１２とは異なる位置から延びる第２延出部１３と、を備える。基部１１、第１延出部１２および第２延出部１３は、鉢１の上縁１Ａの一部にそれぞれ載置可能であり、基部１１、第１延出部１２および第２延出部１３のうち少なくとも第１延出部１２と第２延出部１３の間には、鉢１内の物を擂り潰すための棒部材２が貫通する開口１４が形成されている。
【選択図】図１【図１】
0005825586.tif 000002
【図２】
0005825586.tif 000003
【図３】
0005825586.tif 000004
【図４】
0005825586.tif 000005
【図５】
0005825586.tif 000006